【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
波長５５０ｎｍにおけるレターデーション値が２１０乃至３００ｎｍである光学異方性層Ａと波長５５０ｎｍにおけるレターデーション値が１１５乃至１５０ｎｍである光学異方性層Ｂとを積層することにより、波長４５０ｎｍ、５５０ｎｍおよび６５０ｎｍで測定したレターデーション値／波長の値が、いずれも０．２乃至０．３の範囲内である位相差板であって、光学異方性層Ａおよび光学異方性層Ｂの一方がポリマーフイルムからなり、他方が液晶性分子から形成された層からなることを特徴とする位相差板。
【請求項２】
波長５５０ｎｍにおけるレターデーション値が２１０乃至３００ｎｍである光学異方性層Ａと波長５５０ｎｍにおけるレターデーション値が１１５乃至１５０ｎｍである光学異方性層Ｂとを積層することにより、波長４５０ｎｍ、５５０ｎｍおよび６５０ｎｍで測定したレターデーション値／波長の値が、いずれも０．２乃至０．３の範囲内である位相差板であって、光学異方性層Ａおよび光学異方性層Ｂが、いずれも液晶性分子から形成された層からなることを特徴とする位相差板。
【請求項３】
光学異方性層の液晶性分子が実質的に均一に配向している請求項１または２に記載の位相差板。
【請求項４】
光学異方性層の液晶性分子が実質的に均一に配向している状態で固定されている請求項３に記載の位相差板。
【請求項５】
重合反応により液晶性分子が固定されている請求項４に記載の位相差板。
【請求項６】
光学異方性層の液晶性分子が、ディスコティック液晶性分子であって、ディスコティック液晶性分子がポリマーフイルム面に対して実質的に垂直に配向している請求項１または２に記載の位相差板。
【請求項７】
光学異方性層Ａの遅相軸と光学異方性層Ｂの遅相軸との角度が５０°乃至７０°である請求項１または２に記載の位相差板。
【請求項８】
波長５５０ｎｍにおける光学異方性層Ａのレターデーション値が２５０乃至３００ｎｍであり、波長５５０ｎｍにおける光学異方性層Ｂのレターデーション値が１２５乃至１５０ｎｍである請求項１または２に記載の位相差板。
【請求項９】
波長５５０ｎｍにおけるレターデーション値が２１０乃至３００ｎｍである光学異方性層Ａと波長５５０ｎｍにおけるレターデーション値が１１５乃至１５０ｎｍである光学異方性層Ｂとを積層することにより、波長４５０ｎｍ、５５０ｎｍおよび６５０ｎｍで測定したレターデーション値／波長の値が、いずれも０．２乃至０．３の範囲内である位相差板に、さらに偏光膜が積層されている円偏光板であって、光学異方性層Ａおよび光学異方性層Ｂの一方がポリマーフイルムからなり、他方が液晶性分子を含む層からなることを特徴とする円偏光板。
【請求項１０】
波長５５０ｎｍにおけるレターデーション値が２１０乃至３００ｎｍである光学異方性層Ａと波長５５０ｎｍにおけるレターデーション値が１１５乃至１５０ｎｍである光学異方性層Ｂとを積層することにより、波長４５０ｎｍ、５５０ｎｍおよび６５０ｎｍで測定したレターデーション値／波長の値が、いずれも０．２乃至０．３の範囲内である位相差板に、さらに偏光膜が積層されている円偏光板であって、光学異方性層Ａおよび光学異方性層Ｂが、いずれも液晶性分子を含む層からなることを特徴とする円偏光板。
【請求項１１】
反射板、液晶セルおよび偏光膜がこの順に積層されている反射型液晶表示装置であって、さらに、波長５５０ｎｍにおけるレターデーション値が２１０乃至３００ｎｍである光学異方性層Ａと波長５５０ｎｍにおけるレターデーション値が１１５乃至１５０ｎｍである光学異方性層Ｂとが反射板と偏光膜との間に配置されており、光学異方性層ＡとＢは、積層すると波長４５０ｎｍ、５５０ｎｍおよび６５０ｎｍで測定したレターデーション値／波長の値が、いずれも０．２乃至０．３の範囲内となる光学的性質を有し、光学異方性層Ａおよび光学異方性層Ｂの一方がポリマーフイルムからなり、他方が液晶性分子を含む層からなることを特徴とする反射型液晶表示装置。
【請求項１２】
反射板、液晶セルおよび偏光膜がこの順に積層されている反射型液晶表示装置であって、さらに、波長５５０ｎｍにおけるレターデーション値が２１０乃至３００ｎｍである光学異方性層Ａと波長５５０ｎｍにおけるレターデーション値が１１５乃至１５０ｎｍである光学異方性層Ｂとが反射板と偏光膜との間に配置されており、光学異方性層ＡとＢは、積層すると波長４５０ｎｍ、５５０ｎｍおよび６５０ｎｍで測定したレターデーション値／波長の値が、いずれも０．２乃至０．３の範囲内となる光学的性質を有し、光学異方性層Ａおよび光学異方性層Ｂが、いずれも液晶性分子を含む層からなることを特徴とする反射型液晶表示装置。
【手続補正２】
【補正対象書類名】明細書
【補正対象項目名】０００５
【補正方法】変更
【補正の内容】
【０００５】
（７）光学異方性層Ａの遅相軸と光学異方性層Ｂの遅相軸との角度が５０°乃至７０°である（１）または（２）に記載の位相差板。
（８）波長５５０ｎｍにおける光学異方性層Ａのレターデーション値が２５０乃至３００ｎｍであり、波長５５０ｎｍにおける光学異方性層Ｂのレターデーション値が１２５乃至１５０ｎｍである（１）または（２）に記載の位相差板。
（９）波長５５０ｎｍにおけるレターデーション値が２１０乃至３００ｎｍである光学異方性層Ａと波長５５０ｎｍにおけるレターデーション値が１１５乃至１５０ｎｍである光学異方性層Ｂとを積層することにより、波長４５０ｎｍ、５５０ｎｍおよび６５０ｎｍで測定したレターデーション値／波長の値が、いずれも０．２乃至０．３の範囲内である位相差板に、さらに偏光膜が積層されている円偏光板であって、光学異方性層Ａおよび光学異方性層Ｂの一方がポリマーフイルムからなり、他方が液晶性分子を含む層からなることを特徴とする円偏光板。
（１０）波長５５０ｎｍにおけるレターデーション値が２１０乃至３００ｎｍである光学異方性層Ａと波長５５０ｎｍにおけるレターデーション値が１１５乃至１５０ｎｍである光学異方性層Ｂとを積層することにより、波長４５０ｎｍ、５５０ｎｍおよび６５０ｎｍで測定したレターデーション値／波長の値が、いずれも０．２乃至０．３の範囲内である位相差板に、さらに偏光膜が積層されている円偏光板であって、光学異方性層Ａおよび光学異方性層Ｂが、いずれも液晶性分子を含む層からなることを特徴とする円偏光板。
（１１）反射板、液晶セルおよび偏光膜がこの順に積層されている反射型液晶表示装置であって、さらに、波長５５０ｎｍにおけるレターデーション値が２１０乃至３００ｎｍである光学異方性層Ａと波長５５０ｎｍにおけるレターデーション値が１１５乃至１５０ｎｍである光学異方性層Ｂとが反射板と偏光膜との間に配置されており、光学異方性層ＡとＢは、積層すると波長４５０ｎｍ、５５０ｎｍおよび６５０ｎｍで測定したレターデーション値／波長の値が、いずれも０．２乃至０．３の範囲内となる光学的性質を有し、光学異方性層Ａおよび光学異方性層Ｂの一方がポリマーフイルムからなり、他方が液晶性分子を含む層からなることを特徴とする反射型液晶表示装置。
（１２）反射板、液晶セルおよび偏光膜がこの順に積層されている反射型液晶表示装置であって、さらに、波長５５０ｎｍにおけるレターデーション値が２１０乃至３００ｎｍである光学異方性層Ａと波長５５０ｎｍにおけるレターデーション値が１１５乃至１５０ｎｍである光学異方性層Ｂとが反射板と偏光膜との間に配置されており、光学異方性層ＡとＢは、積層すると波長４５０ｎｍ、５５０ｎｍおよび６５０ｎｍで測定したレターデーション値／波長の値が、いずれも０．２乃至０．３の範囲内となる光学的性質を有し、光学異方性層Ａおよび光学異方性層Ｂが、いずれも液晶性分子を含む層からなることを特徴とする反射型液晶表示装置。